(57)【要約】【課題】梱包の際に手間がかからず、かつ強い衝撃が与えられても被包装物の先細状の先端部が底突きしたり、被包装物が梱包装置から脱落したりすることのない梱包装置を提供することを目的とする。【解決手段】本発明の梱包装置は、平面長方形をなす底板を兼ねるスキットと、該スキット上にセットされて被包装物を受ける発泡樹脂製の緩衝包装材と、下方に開口し前記緩衝包装材の全体を覆う外装箱とからなり、前記スキット上には、前記被包装物の先細状の先端部が対向する辺部側の個所に、該スキットに立設された支持部と、該支持部により支持される底突き防止のための板材とが設けられてなり、前記緩衝包装材が前記支持部及び板材を覆ってスキット上にセットされてなることを特徴とする。【選択図】図１
2013209138.tif 000002
【特許請求の範囲】
【請求項１】
平面長方形をなす底板を兼ねるスキットと、該スキット上にセットされて被包装物を受ける発泡樹脂製の緩衝包装材と、下方に開口し前記緩衝包装材の全体を覆う外装箱とを備え、
前記スキット上には、前記被包装物の先細状の先端部が対向する辺部側の個所に、該スキットに立設された支持部と、該支持部により支持される底突き防止のための板材とが設けられてなり、前記緩衝包装材が前記支持部及び板材を覆ってスキット上にセットされてなることを特徴とする梱包装置。
【請求項２】
前記緩衝包装材が、被包装物の下部を受ける下部緩衝包装材と、該下部緩衝包装材の上に被包装物の上部を覆うように被着される上部緩衝包装材とを備える請求項１に記載の梱包装置。
【請求項３】
前記スキットの少なくとも長辺側の両側縁に起立した突縁を有し、外装箱の下端部が前記突縁に嵌合する請求項１又は２に記載の梱包装置。
【請求項４】
前記底突き防止のための板材の支持部として、前記被包装物の先細状の先端部が対向する辺部側の両側位置に間隔をおいて2本の支柱が立設され、前記板材の両側端部が両支柱に保持されて支持されてなる請求項１〜３のいずれか１項に記載の梱包装置。
【請求項５】
前記支持部としての前記両支柱は、相対向側に縦方向の溝を有する断面凹形をなしており、前記板材が前記溝に嵌合されて保持されてなる請求項４に記載の梱包装置。
【発明の詳細な説明】
【技術分野】
【０００１】
本発明は例えば船外機等の製品を収納して保護する梱包装置に関する。
【背景技術】
【０００２】
船舶を推進するためのエンジンを含む船外機は重量があり、プロペラを取り付ける先端部側が先細状の特殊な形状をしているため、その輸送に使用する梱包装置としては、船外機の形状に合わせた形状でなければならず、重量にも耐えるものでなければならない。
【０００３】
従来の船外機の梱包装置として、例えば特許文献1のように、段ボールにより形成した複数の緩衝体や支持部材を船外機の形状に合うように組み立てて、これを外装箱に組み込で梱包するものが提案されている。
【０００４】
しかし、上記の梱包装置を用いる場合、段ボールよりなる複数の緩衝包装材を形成し、これを組み立てて外装箱内において船外機を固定できるように組みこんで完成する必要があり、梱包の際に手間がかかる。また、段ボールの緩衝体や支持材により船外機の外周を部分的に受支するものであるため、受支部分に強い力がかかり緩衝性を損なう虞がある上、支持状態が不安定になりやすい。しかも段ボール製であるために、仮に梱包装置の妻面（長手方向の端面）側にパッドを配置していても強く支持されていないため、角や妻面の落下等により強い衝撃が与えられた場合に、船外機の先細状の先端部がパッドごと段ボールを押し突き破る、または底突きする虞がある。さらに、段ボール製の外装箱による底面は強度上の問題があり、フォークリフトによる運搬作業や保管等の際には、損傷防止のために荷受け用のパレットを必要とする。
【０００５】
そこで、船外機の外形に対応した受支用凹部を有する発泡樹脂製の緩衝包装材を、底板を兼ねるスキットと組み合わせて用いることで、船外機の重量を広い面で受支できるようにし、かつ底面の強度をスキットにより確保するようにしたものである。しかし、発泡樹脂製の緩衝包装材を使用する場合においても、角や妻面の落下等の際には先細状の先端部が発泡樹脂を突き破る虞やスキット上に設置された包装物が強い力で横ずれを起こし、包装緩衝材が割れたり、被包装物が梱包装置から脱落したりする心配がある。
【先行技術文献】
【特許文献】
【０００６】
【特許文献１】特開２００２−１０４５３０
【発明の概要】
【発明が解決しようとする課題】
【０００７】
本発明は、上記の問題点を解決するものであって、梱包の際に手間がかからず、かつ強い衝撃が与えられても被包装物の先細状の先端部が底突きしたり、被包装物が梱包装置から脱落することのない梱包装置を提供することを目的とする。
【課題を解決するための手段】
【０００８】
本発明の梱包装置は、平面長方形をなす底板を兼ねるスキットと、該スキット上にセットされて被包装物を受ける発泡樹脂製の緩衝包装材と、下方に開口し前記緩衝包装材の全体を覆う外装箱とからなり、前記スキット上には、前記被包装物の先細状の先端部が対向する辺部側の個所に、該スキットに立設された支持部と、該支持部により支持される底突き防止のための板材とが設けられてなり、前記緩衝包装材が前記支持部及び板材を覆ってスキット上にセットされてなることを特徴とする。
【０００９】
本発明の梱包装置によれば、発泡樹脂製の緩衝包装材により船外機等の被包装物を安定性よく保持でき、しかも底板としてのスキットを有することで、十分な底面強度を確保できる。その上、底突き防止のための板材が設けられたことにより、被包装物の先細状の先端部が緩衝包装材を突き破って、被包装物が梱包装置から脱落したり、底突きしたりすることを防ぐことができる。また緩衝包装材が支持部及び底突き防止のための板材を覆うために、底突き防止のための板材の固定及び強い力の横ずれに対する包装物のスキットへの固定効果が高まる。さらに被包装物を受ける部材として、予め成型された発泡樹脂製の緩衝包装材を用いるため、包装の際に手間がかからない。
【００１０】
また、前記緩衝包装材が、被包装物の下部を受ける下部緩衝包装材と、該下部緩衝包装材の上に被包装物の上部を覆うように被着される上部緩衝包装材とからなることを特徴とする。これにより被包装物に対する衝撃の緩和を確実に行うことができる。また被包装物を上下の緩衝包装材の間に確実に保持し、被包装物の落下を防ぐことができる。
【００１１】
また、前記スキットの少なくとも長辺側の両側縁に起立した突縁を有し、外装箱の下端部が前記突縁に嵌合することを特徴とする。これにより外装箱がスキットから外れ難くなり、被包装物の落下・脱落を防ぐことができる。
【００１２】
また、前記底突き防止のための板材の支持部として、前記被包装物の先細状の先端部が対向する辺部側の両側位置に間隔をおいて2本の支柱が立設され、前記板材の両側端部が両支柱に保持されて支持されてなることを特徴とする。この構成により底突き防止のための板材を確実にスキットに固定でき、被包装物が底突き防止のための板材を倒して梱包装置から飛び出すことを防ぐことができる。
【００１３】
また、前記支持部としての前記両支柱は、相対向側に縦方向の溝を有する断面凹形をなしており、前記板材が前記溝に嵌合されて保持されてなることを特徴とする。これにより、底突き防止のための板材をスキット上に設ける作業が容易になる。
【発明の効果】
【００１４】
本発明によれば、梱包に手間がかからず、かつ、被包装物の先細状の先端部が底突きしたり、被包装物が梱包装置から脱落したりすることを防ぐことができる。
【図面の簡単な説明】
【００１５】
【図１】実施形態の梱包装置のスキット、下部緩衝包装材、上部緩衝包装材の分離した断面図。
【図２】実施形態の梱包装置の下部緩衝包装材に被包装物を載置した状態の断面図。
【図３】同上の平面図。
【図４】実施形態の梱包装置による梱包状態の断面図
【図５】底突き防止の板材５１の支持状態の平面図（ａ）、（ｂ）と正面図（ｃ）。
【図６】移動規制の板材６１の支持状態の平面図（ａ）、（ｂ）と正面図（ｃ）。
【発明を実施するための形態】
【００１６】
実施形態の梱包装置１は、図に示すように、平面長方形をなす底板としてのスキット２と、スキット２上にセットされて被包装物Ａ、例えば船外機を保持する発泡樹脂製の緩衝包装材であって、被包装物Ａを横倒状態にしてその下部を受けるように形成された下部包装材３ａと、下部包装材３ａに載置した被包装物Ａを上から覆うように前記下部包装材３ａに組み合わされる上部包装材３ｂとからなる緩衝包装材３と、緩衝包装材３の全体を覆う外装箱４とを備える。
【００１７】
スキット２には、被包装物Ａを収納した時の、被包装物Ａの先細状の先端部Ａ１が対向する辺部側（長方形の短辺側）の両側位置に間隔を置いて支持部としての２本の支柱５ａ，５ｂが立設されている。前記支柱５ａ，５ｂは、スキット２に溶接あるいはネジ締結手段等により固定されて立設される。そして、底突き防止のための板材５１が、前記両支柱５ａ，５ｂによりスキット２上において支持されている。例えば、前記板材５１は、図５aに示すように、その両側端部を支柱５ａ，５ｂにネジ止め手段５３にて固定することができる。このほか、図５ｂに示すように、両支柱５ａ，５ｂが相対向側に縦方向の溝５０ａ，５０ｂを有する断面凹形をなすものとして、前記板材５１の両側端部を前記溝５０ａ，５０ｂに嵌合して支持することもできる。この場合、板材５１のセット作業が容易になる。いずれにしても、前記板材５１は、前記の支持状態において、収納される被包装物Ａの先端部Ａ１と所定の間隔を存して対向位置するように、その高さ及び支持位置が設定されている。これにより、収納された被包装物Ａが妻面落下等により先端部側への移動するとき、前記先端部Ａ１が下部緩衝包装材３ａを圧迫し板材５１に近接することでその移動を抑止できるようになっている。
【００１８】
また、図示する実施例の場合、前記支柱５ａ，５ｂよりもスキット２の中央寄りの位置には、支柱５ａ，５ｂと同様の2本の支柱６ａ，６ｂが両側に間隔をおいて溶接あるいはネジ締結手段により固定されて立設され、該支柱６ａ，６ｂにより被包装物Ａの移動規制のための板材６１が支持されている。この板材６１についても、前記板材５１の場合と同様に、その両側端部を前記支柱６ａ，６ｂに対してネジ止め手段６４により固定することも、また両支柱６ａ，６ｂを相対向側に縦方向の溝を有する断面凹形なすものとして、前記板材６１の両側端部を前記溝に嵌合して支持することもできる。
【００１９】
前記板材６１は、収納される被包装物Ａの先端部Ａ１の軸心高さよりも高く、その上端の幅方向の中央部に凹部６３を有し、前記の支持状態において、収納される被包装物Ａの先端部Ａ１の付け根付近に有する鍔状部Ａ２より先端側の部分が前記凹部６３に入り込んで、該凹部６３の周縁部分が鍔状部Ａ２と対向位置するように設けられている。これにより、収納された被包装物Ａが妻面落下等により先端部側への移動するとき、前記鍔状部Ａ２が下部緩衝包装材３ａを圧迫し板材６１に近接することでその移動を抑止する補助的作用を果たし、かつ先端部Ａ１が前記凹部６３の側縁に近接することで幅方向の揺動変位を抑止できるようになっている。
【００２０】
なお、スキット２の構成材料としては、強度や耐久性の観点から鋼材や鉄材等の金属材が望ましいが、これに限らず、木材や合成樹脂材その他の必要な強度及び剛性を有する種々の材料を用いて形成することができる。また、前記支柱５ａ，５ｂ及び６ａ，６ｂについても、鋼材や鉄材等の金属材のほか、木材やボード、合成樹脂材等の必要な強度を有する材料を使用できる。板材５１及び６１についても、前記同様の各種の材料を使用できるが、実施上は、被包装物Ａの当接時の衝撃をある程度吸収できる木材や合成樹脂材のボードを使用するのが好ましい。
【００２１】
前記スキット２並びに各支柱５ａ，５ｂ；６ａ，６ｂが鋼材等の金属材よりなる場合、各支柱を溶接手段によりスキットに固定して立設しておくことができる。前記各支柱５ａ，５ｂ；６ａ，６ｂをネジ締結手段によりスキット２に固定して立設する場合、不使用の際には、支柱を取り外すことでスキットを嵩低くして取り扱える。また、前記のように立設された支柱が、被包装物による荷重を受けても容易に倒れないように、Ｌ字形金具等による補強材を設けておくことができる。
【００２２】
また、スキット２の周縁には外装箱４の下端と嵌合する突縁２０が起立している。突縁２０はスキット２の全周縁に設けられていることが望ましいが、少なくともスキット２の長辺側の両側縁に設けられていれば良い。
【００２３】
下部緩衝包装材３ａは、発泡樹脂の成形品であり、平面外形が前記スキット２に対応した長方形をなしており、前記スキット２の突縁２０，２０間に嵌合した状態でスキット２上にセットされる。この下部緩衝包装材３ａの上面には、横倒状態で収納される被包装物Ａの下側の外面形状と一致するように成形された凹部３０ａを有する。特に、被包装物Ａの先端部Ａ１の付け根部までを受ける一端側領域が、他端側領域より高くなっており、該一端側領域の前記凹部３０ａの部分が先端部Ａ１が嵌り込むように形成されている。また、下部緩衝包装材３ａの前記一端側領域の下側には、スキット２上にセットするとき、前記支柱５ａ，５ｂ及び板材５１に対応する位置に、これらの部材が嵌入できる形状の凹部５２が下面に開口して形成されている。また、前記支柱６ａ，６ｂ及び板材６１に対応する位置にも、これらの部材が嵌入できる形状の凹部６２が同様に下面に開口して形成されている。これにより、下部緩衝包装材３ａをスキット２上にセットした状態において、凹部５２の部分で前記支柱５ａ，５ｂ及び板材５１を、凹部６２の部分で前記支柱６ａ，６ｂ及び板材６１を覆うことができる。
【００２４】
なお、前記凹部６２において、前記板材６１の凹部６３に対応する上端部の個所は、被包装物Ａの先端部Ａ１を受ける凹部３０ａの部分において開口して、前記凹部６３が凹部３０ａの内周に現れるようにしてもよいし、凹部６３が現れないように形成してもよい。
【００２５】
上部緩衝包装材３ｂは、発泡樹脂の成形品であり、平面外形が前記下部緩衝包装材３ａと対応した長方形で、その下面は、前記下部緩衝包装材３ａの一端側領域と他端側領域とに対応する段差を有するとともに、横倒状態で収納される被包装物Ａの上側の外面形状と一致するように成形された凹部３０ｂを有している。この上部緩衝包装材３ｂを下部緩衝包装材３ａの上に載設した状態において、緩衝包装材３の全体が直方体形状をなし、その外側に外装箱4を嵌合被着できるようになっている。
【００２６】
前記下部緩衝包装材３ａ及び上部緩衝包装材３ｂとしては、各種樹脂の発泡成形体を使用できるが、熱可塑性樹脂の発泡成形体であることが好ましい。熱可塑性樹脂としては、ポリスチレン系樹脂、ポリオレフィン系樹脂（例えばポリプロピレン系樹脂、ポリエチレン系樹脂）、ポリエステル系樹脂、（例えばポリエチレンテレフタレート、ポリブチレンテレフタレート、ポリエチレンナフタレート、ポリ乳酸系樹脂）、ポリカーボネート系樹脂等が挙げられる。樹脂は一種類だけで構成してもよく、二種類以上で構成してもよい。また、前記発泡体の発泡倍率は３〜７０倍が好ましい。
【００２７】
外装箱４は下方に開口した段ボール箱よりなり、その下端がスキット２の突縁２０と嵌合する。
【００２８】
以上の梱包装置１において、船舶推進用の船外機を被包装物Ａとして梱包する場合は、まず、スキット２上に立設された支柱５ａ，５ｂ及び６ａ，６ｂにより、底突き防止のための板材５１及び６１を、それぞれ所定の位置に支持させる。例えば、板材５１及び６１の両側端部を、それぞれ支柱５ａ，５ｂ及び６ａ，６ｂに対しネジ止めして固定するか、あるいは支柱に有する溝５０ａ，５０ｂ及び６０ａ，６０ｂに嵌合して、所定の位置に支持する。そして、下部緩衝包装材３ａを、下面側に開口した凹部５２に前記支柱５ａ，５ｂと板材５１を嵌合させ、凹部６２に前記支柱６ａ，６ｂと板材６１を嵌合させるようにして、スキット２上にセットする。
【００２９】
その後、下部緩衝包装材３ａの凹部３０ａに横倒状態の被包装材Ａの下面側を嵌め合わせるようにして載置する。このとき、被包装物Ａの先端部Ａ１が前記の突き破り防止のため板材５１と対向する。また、先端部Ａ１の付け根付近の部分が板材６１の凹部６３内に入り込んで安定性よく保持されるとともに、先端部Ａ１の付け根付近に有する鍔状部Ａ2が前記板材６１の凹部６３の周縁部と対向する。
【００３０】
こうして、上部緩衝包装材３ｂの凹部３０ｂを被包装物Ａの上面側に嵌め合わせるようにして、前記被包装物Ａの上に上部緩衝包装材３ｂを被せる。このとき、上部緩衝包装材３ｂは下部緩衝包装材３ａに載り、緩衝包装材３の全体が直方体形状となる。この緩衝包装材３の上から、全体を覆うように下面が開口している外装箱４を被せ、外装箱４の下端をスキット２の突縁２０に嵌合する。そして、外装箱４を接着テープ等によりスキット２に固定することにより梱包が完了する。
【００３１】
以上の梱包装置によれば、発泡樹脂製の緩衝包装材３により船外機等の被包装物Ａの重量を分散して受支でき、被包装物Ａを安定性よく保持できる。しかも、底板としてのスキット２により、十分な底面強度を確保でき、保管の際やフォークリフトによる運搬作業の際に、荷受け用のパレットを使用しなくても底部破損の虞がない。そればかりか、被包装物Ａを受ける部材として、予め成型された発泡樹脂製の緩衝包装材を用いるため、段ボールを組み立てて緩衝包装材とする場合と比較して、梱包の際に手間がかからない。また、スキット２の被包装物Ａの先端部Ａ１に対向する位置に底突き防止のための板材５１が立設されたことにより、落下等の衝撃により被包装物Ａが梱包装置１内で移動し、先端部Ａ１が緩衝包装材３ａ、３ｂを突き破ったり底突きしたりすることを防止できる。
【００３２】
また板材５１が支柱５ａ、５ｂにより支持され、さらに、下部緩衝包装材３ａが支柱５ａ、５ｂ及び板材５１を覆うため、板材５１のスキット上への固定がしっかりなされる。これにより被包装物Ａが梱包装置から脱落することを防ぐことができる。また、板材５１を支柱５ａ、５ｂの溝５０ａ、５０ｂに嵌めることにより立設することができるため、梱包が容易にできる。
【００３３】
また、緩衝包装材として下部緩衝包装材３ａと上部緩衝包装材３ｂを設け、下部緩衝包装材３ａと上部緩衝包装材３ｂの間に被包装物Ａを保持する形態であるため、被包装物Ａが梱包装置１内で移動することを防止し、被包装物Ａを確実に保持できる。また、スキット２の周縁に外装箱４の下端と嵌合する突縁２０を設けたため、外装箱がスキット２から外れ難くなり、被包装物Ａの落下を防ぐことができる。
【００３４】
なお、板材５１、６１を保持する支持部は、本実施形態のように2本の支柱に限られず、板材５１、６１を保持できる構成であれば他の構成でも良い。本実施形態の梱包装置１は船舶推進用の船外機に好適に用いられるが、これに限らず、先細部を有する重量物全般の梱包にも用いることができる。
【符号の説明】
【００３５】
Ａ…被包装物、Ａ１…先端部、A2…鍔状部、１…梱包装置、２…スキット、２０…突縁、３ａ…下部緩衝包装材、３ｂ…上部緩衝包装材、３０ａ…凹部、３０ｂ…凹部、４…外装箱、５ａ…支柱、５ｂ…支柱、５０ａ…溝、５０ｂ…溝、５１…板材、５２…凹部、５３…ネジ止め手段、６ａ…支柱、６ｂ…支柱、６０ａ…溝、６０ｂ…溝、６１…板材、６２…凹部、６３…切り込み凹部、６４…ネジ止め手段
【図１】
2013209138.tif 000003
【図２】
2013209138.tif 000004
【図３】
2013209138.tif 000005
【図４】
2013209138.tif 000006
【図５】
2013209138.tif 000007
【図６】
2013209138.tif 000008